(57)【要約】【課題】収納した輸送対象品の温度を所定時間にわたって所定の温度範囲内に保つことができる定温輸送容器と、この定温輸送容器を用いた輸送システムを提供する。【解決手段】輸送対象品７を収納する収納空間１４を構成した複数の断熱部材２と、断熱部材２が互いに接続する部分である接続部３に設けられた熱伝導抑制体４（４ａ、４ｂ）を備える。熱伝導抑制体４は、蓄熱材６ｂを備え、少なくとも接続部３を覆うように断熱部材２に設けられている。【選択図】図１Ａ
2019182449.tif 000002
【特許請求の範囲】
【請求項１】
輸送対象品を収納する収納空間を構成した複数の断熱部材と、
前記断熱部材が互いに接続する部分である接続部に設けられた熱伝導抑制体と、
を備え、
前記熱伝導抑制体は、蓄熱材を備え、少なくとも前記接続部を覆うように前記断熱部材に設けられている、
ことを特徴とする定温輸送容器。
【請求項２】
前記熱伝導抑制体は、熱伝導性を有する板状部材である熱伝導板をさらに備え、
前記熱伝導板は、少なくとも前記接続部を覆うように前記断熱部材に設けられており、
前記蓄熱材は、前記熱伝導板に設けられている、
請求項１に記載の定温輸送容器。
【請求項３】
少なくとも温度を情報として測定して記録する情報記録装置を、前記定温輸送容器の少なくとも内部に備える、
請求項１又は２に記載の定温輸送容器。
【請求項４】
請求項３に記載の前記定温輸送容器と、
受信装置として携帯端末とサーバーの少なくとも一方と、
を備え、
前記情報記録装置は、前記情報を前記受信装置に送信し、
前記受信装置は、前記情報記録装置から送信された前記情報を表示する、
ことを特徴とする輸送システム。
【請求項５】
請求項３に記載の前記定温輸送容器と、
受信装置として携帯端末とサーバーの少なくとも一方と、
を備え、
前記情報記録装置は、前記情報を前記受信装置に送信し、
前記受信装置は、前記情報記録装置から送信された前記情報を保存する、
ことを特徴とする輸送システム。
【発明の詳細な説明】
【技術分野】
【０００１】
本発明は、収納した輸送対象品の温度を所定の時間にわたり一定に保って輸送するための輸送容器と、この輸送容器を用いた輸送システムに関する。
【背景技術】
【０００２】
野菜や果物等の青果物、肉や魚等の生鮮食品、及び花き等の物品は、鮮度維持または品質保持のため、流通時にはそれぞれの物品に適した一定の温度に保持されて輸送される必要がある。また、医療用医薬品や化学薬品等は、食品のサプライチェーンと比較して、より厳密な温度管理下で輸送されることが求められている。
【０００３】
通常、日本国内のサプライチェーンでは、生鮮食品等は、生産地から保冷された状態で、保冷機能を有する車両等によって店舗等に輸送されている。近年では日本国外でのビジネス展開が増加しているが、日本国内と同等なコールドチェーンが確立されていない国や地域で輸送する場合には、輸送対象品の適温維持を輸送容器の性能に頼らざるを得ないことがある。従って、今後、内部の温度を一定に保つことができる輸送容器の需要は高まるものと推測される。
【０００４】
特許文献１には、内部温度を良好に維持することができる輸送容器（保冷保温箱体）の例が記載されている。
【先行技術文献】
【特許文献】
【０００５】
【特許文献１】特開２０１５−１６０６２０号公報
【発明の概要】
【発明が解決しようとする課題】
【０００６】
真空断熱材等の複数の断熱パネルが組み合わされて構成されている輸送容器は、断熱パネル同士の接続部が熱伝導経路となり、輸送容器の内部と外部との間で熱が移動して断熱性能が低下し、輸送容器の内部の温度を長時間にわたり一定に保持できないという課題がある。
【０００７】
特許文献１に記載の保冷保温箱体は、真空断熱材を含む断熱性パネルからなる天面パネルと側面パネルと底面パネルを備え、隣り合う側面パネル間の接合部及び各側面パネルと底面パネルとの間の接合部が、可燒性断熱材により保護されており、内部温度を良好に維持することができる。
【０００８】
しかし、輸送容器が収納する輸送対象品や、輸送容器が内部の温度を一定に保持すべき時間（例えば、輸送時間）や、輸送容器の内外の温度差によっては、より長い時間にわたって、輸送容器の内部と外部との間の熱の移動量をさらに少なくする必要がある。すなわち、より長時間にわたって輸送容器の内外の間での熱移動量がさらに少なく、収納した輸送対象品の温度を所定時間にわたって所定の温度範囲内に保つことができるという保温機能がさらに向上した輸送容器が望まれている。
【０００９】
本発明の目的は、収納した輸送対象品の温度を所定時間にわたって所定の温度範囲内に保つことができる定温輸送容器と、この定温輸送容器を用いた輸送システムを提供することである。
【課題を解決するための手段】
【００１０】
本発明による定温輸送容器は、輸送対象品を収納する収納空間を構成した複数の断熱部材と、前記断熱部材が互いに接続する部分である接続部に設けられた熱伝導抑制体とを備え、前記熱伝導抑制体は、蓄熱材を備え、少なくとも前記接続部を覆うように前記断熱部材に設けられている。
【発明の効果】
【００１１】
本発明によると、収納した輸送対象品の温度を所定時間にわたって所定の温度範囲内に保つことができる定温輸送容器と、この定温輸送容器を用いた輸送システムを提供することができる。
【図面の簡単な説明】
【００１２】
【図１Ａ】本発明の実施例による定温輸送容器の水平方向の断面図。
【図１Ｂ】図１Ａとは異なる構成の、本発明の実施例による定温輸送容器の水平方向の断面図。
【図２】本発明の実施例による定温輸送容器の鉛直方向の断面図。
【図３】図２とは異なる構成の、本発明の実施例による定温輸送容器の鉛直方向の断面図。
【図４】ふた部を取り除いた、本発明の実施例による定温輸送容器の平面図。
【図５Ａ】上面断熱部材に設けられた熱伝導抑制体と蓄熱材の例を示す、ふた部の平面図。
【図５Ｂ】上面断熱部材に設けられた熱伝導抑制体の例を示す、ふた部の平面図。
【図５Ｃ】上面断熱部材に設けられた熱伝導抑制体と蓄熱材の別の例を示す、ふた部の平面図。
【図６】本発明の実施例による定温輸送容器の外観を示す斜視図。
【図７】本発明の実施例による、収納部から分離可能なふた部が開いた定温輸送容器を示す斜視図。
【図８】本発明の実施例による、収納部の一部と接触したまま開閉可能なふた部が開いた定温輸送容器を示す斜視図。
【図９】本発明の実施例による、内部に２つの収納空間を備える定温輸送容器を示す斜視図。
【図１０】本発明の実施例による、内部に２つの収納空間を備える定温輸送容器の水平方向の断面図。
【図１１Ａ】蓄熱材の断熱部材への固定方法の例を説明する、定温輸送容器の部分断面図。
【図１１Ｂ】蓄熱材の断熱部材への固定方法の別の例を説明する、定温輸送容器の部分断面図。
【図１１Ｃ】熱伝導板の断熱部材への固定方法の例を説明する、定温輸送容器の部分断面図。
【図１１Ｄ】蓄熱材の熱伝導板への固定方法の例を説明する、定温輸送容器の部分断面図。
【図１１Ｅ】蓄熱材の熱伝導板への固定方法の別の例を説明する、定温輸送容器の部分断面図。
【図１２】本発明の実施例による輸送システムの構成を示すブロック図。
【発明を実施するための形態】
【００１３】
本発明による定温輸送容器（以下、単に「輸送容器」とも称する。）は、断熱部材が互いに接続する接続部における輸送容器の内部と外部との間の熱の移動を抑制し、輸送容器の内部の温度と収納した輸送対象品の温度を、輸送対象品の輸送に必要な所定時間にわたって、輸送対象品に求められる所定の温度範囲内に保つことができる。例えば、本発明による定温輸送容器は、複数の断熱部材が組み合わされて構成され、断熱部材の接続部での熱の移動を抑制するために、蓄熱材を備える熱伝導抑制体を接続部に備え、収納した輸送対象品の温度を所定の温度範囲内に所定時間にわたって保つ。
【００１４】
また、本発明による輸送容器は、輸送容器の内部に配置した蓄熱材の量や配置位置を最適化することができるため、輸送容器の重量を低減できるとともに、輸送対象品を収納する内容積を大きくすることができ、輸送者が輸送対象品を効率良く運搬できる。さらに、本発明による輸送容器は、簡便な構成を備え、不使用時に狭い場所に収納できる等、不使用時の保管が便利であるという特徴も有する。
【００１５】
一般に、輸送容器は、断熱部材や蓄熱材を備え、断熱部材や蓄熱材は、輸送対象品を所定の時間にわたって所定の温度範囲内に保つことができるように大きさ（体積）と数が定められる。このため、輸送容器は、輸送対象品を収納していなくても重量が大きくなることがあり、輸送容器を移動させるのが容易でない場合もある。そこで、輸送容器は、重量が小さい方が望ましい。
【００１６】
以下、本発明の実施例による定温輸送容器を、図面を用いて説明する。
【００１７】
図６は、本発明の実施例による輸送容器１の外観を示す斜視図である。輸送容器１は、本実施例では直方体又は立方体であり、収納部１２とふた部１１を備える。ふた部１１は、開閉可能である。また、輸送容器１は、後述する情報記録装置８を備えることもできる。図６には、断面Ａ、Ｂと矢印Ｃ、Ｄを示している。
【００１８】
図１Ａは、図６に示した断面Ｂでの、輸送容器１の断面図（水平方向の断面図）である。
【００１９】
図１Ｂは、図６に示した断面Ｂでの、輸送容器１の断面図（水平方向の断面図）であり、図１Ａに示した輸送容器１とは異なる構成を備える輸送容器１の断面図である。
【００２０】
図２は、図６に示した断面Ａでの、輸送容器１の断面図（鉛直方向の断面図）である。
【００２１】
図３は、図６に示した断面Ａでの、輸送容器１の断面図（鉛直方向の断面図）であり、図２に示した輸送容器１とは異なる構成を備える輸送容器１の断面図である。
【００２２】
図４は、図６に示した矢印Ｄの方向から見た、ふた部１１を取り除いた輸送容器１（すなわち、収納部１２）の平面図である。
【００２３】
図５Ａ〜図５Ｃは、図６に示した矢印Ｃの方向（後述する図７に示す矢印Ｃの方向）から見た、ふた部１１の平面図である。
【００２４】
図２と図３と図６には、ふた部１１が閉じている輸送容器１を示している。
【００２５】
図１Ａと図１Ｂに示すように、輸送容器１の収納部１２は、複数の断熱部材２を備え、これらの断熱部材２が組み合わされて構成される。図２〜図４に示すように、収納部１２の断熱部材２は、１つの前面断熱部材２ａ、２つの側面断熱部材２ｂ、１つの背面断熱部材２ｃ、及び１つの底面断熱部材２ｅを備える。前面断熱部材２ａは、背面断熱部材２ｃに対向し、２つの側面断熱部材２ｂに接する。２つの側面断熱部材２ｂは、互いに対向し、前面断熱部材２ａと背面断熱部材２ｃに接する。底面断熱部材２ｅは、前面断熱部材２ａと側面断熱部材２ｂと背面断熱部材２ｃに接し、ふた部１１が閉じているとふた部１１に対向する。前面断熱部材２ａと側面断熱部材２ｂと背面断熱部材２ｃは、底面断熱部材２ｅに立設する。
【００２６】
収納部１２の内部には、これらの断熱部材２（前面断熱部材２ａ、側面断熱部材２ｂ、背面断熱部材２ｃ、及び底面断熱部材２ｅ）により収納空間１４が構成されている。収納空間１４には、輸送対象品７が収納される。
【００２７】
図２と図３と図５Ａ〜図５Ｃに示すように、輸送容器１のふた部１１は、断熱部材２である上面断熱部材２ｄを備える。ふた部１１が閉じていると、上面断熱部材２ｄは、前面断熱部材２ａと側面断熱部材２ｂと背面断熱部材２ｃに接する。
【００２８】
断熱部材２（前面断熱部材２ａ、側面断熱部材２ｂ、背面断熱部材２ｃ、上面断熱部材２ｄ、及び底面断熱部材２ｅ）の外周は、カバー１３で覆われている（図１Ａ〜図４）。カバー１３には、既存の断熱カバーや断熱シートを用いることができる。
【００２９】
輸送容器１において、断熱部材２が互いに接続する部分を接続部３と呼ぶ（図１Ａ〜図４）。２つの断熱部材２は、例えば、一方の断熱部材２の端面と他方の断熱部材２の表面とが接触して互いに接続することで、接続部３を形成する。
【００３０】
輸送容器１の内部の温度を一定に保持するためには、輸送容器１の内部が、輸送容器１の外部の温度の影響を受け難くすることが必要である。このため、断熱部材２には、高い断熱性能を持った断熱材、例えば独立気泡型の断熱材や真空断熱材を用いる。これらの断熱材は、断熱材を厚さ方向に通過する熱に対する断熱性能は優れているが、断熱材の表面を熱が伝導により移動し、断熱材の端面を伝わって断熱材の一方の表面からこの表面と反対側の他方の表面に熱が回りこむ現象、すなわち、断熱材の端面を経路として熱が伝導する現象が起こる。
【００３１】
従って、複数の断熱部材２が組み合わされて構成された輸送容器１は、断熱部材２が互いに接続する接続部３が熱伝導経路となり、輸送容器１の内部と外部との間で熱の移動が起こる。輸送容器１の内部と外部の温度差が大きいと、接続部３での熱の伝導が顕著となり、輸送容器１の内部に蓄熱材を配置しても、輸送対象品７や収納空間１４の温度を所定の温度範囲内に所定時間にわたって保つことが困難である。
【００３２】
そこで、本実施例による輸送容器１は、接続部３での熱の移動量を削減するために、接続部３に熱伝導抑制体４を備え、輸送対象品７と収納空間１４の温度を所定の温度範囲内に所定時間にわたって保つ。
【００３３】
熱伝導抑制体４は、図１Ａと図１Ｂと図４に示すように、底面断熱部材２ｅに立設した熱伝導抑制体（鉛直方向）４ａを備える。熱伝導抑制体（鉛直方向）４ａは、前面断熱部材２ａと側面断熱部材２ｂとの接続部３と、側面断熱部材２ｂと背面断熱部材２ｃとの接続部３とに設置される。
【００３４】
さらに、熱伝導抑制体４は、図２〜図４に示すように、底面断熱部材２ｅに平行に設けられた熱伝導抑制体（水平方向）４ｂを備える。この熱伝導抑制体（水平方向）４ｂは、底面断熱部材２ｅと前面断熱部材２ａとの接続部３と、底面断熱部材２ｅと側面断熱部材２ｂとの接続部３と、底面断熱部材２ｅと背面断熱部材２ｃとの接続部３とに設置される。
【００３５】
さらに、熱伝導抑制体４は、図２に示すように、上面断熱部材２ｄに平行に設けられた熱伝導抑制体（水平方向）４ｂを備える。この熱伝導抑制体（水平方向）４ｂは、上面断熱部材２ｄと前面断熱部材２ａとの接続部３と、上面断熱部材２ｄと側面断熱部材２ｂとの接続部３と、上面断熱部材２ｄと背面断熱部材２ｃとの接続部３とに設置される。
【００３６】
なお、図１Ａ〜図４において、図を見やすくするために、必ずしも全ての断熱部材２（前面断熱部材２ａ、側面断熱部材２ｂ、背面断熱部材２ｃ、上面断熱部材２ｄ、及び底面断熱部材２ｅ）と熱伝導抑制体４（熱伝導抑制体（鉛直方向）４ａ、及び熱伝導抑制体（水平方向）４ｂ）を示していない。
【００３７】
熱伝導抑制体４（熱伝導抑制体（鉛直方向）４ａと熱伝導抑制体（水平方向）４ｂ）は、接続部３を構成する断熱部材２に接触し、少なくとも接続部３を覆うように断熱部材２に設けられる。熱伝導抑制体４は、接続部３のみを覆うように、断熱部材２に設けてもよい。熱伝導抑制体４は、接続部３に沿った長手方向に延伸する。
【００３８】
接続部３を覆うように断熱材を設置すると、輸送容器１の内部と外部との間での熱の移動を抑制することはできるが、例えば植物が輸送対象品７である場合には、輸送対象品７自体が発熱するので、輸送容器１の内部の温度を一定に維持するのが困難である。
【００３９】
そこで、本実施例による輸送容器１では、図１Ａ〜図３に示すように、熱伝導抑制体４（４ａ、４ｂ）が蓄熱材６ｂを備える。蓄熱材６ｂは、接続部３に沿った長手方向に延伸する。蓄熱材６ｂは、温度を一定に保つ保温機能を有し、輸送対象品７に求められる蓄熱温度（保温温度）を有するものであれば、任意のものを用いることができる。熱伝導抑制体４が蓄熱材６ｂを備え、蓄熱材６ｂの蓄熱量が接続部３での熱の伝導を抑制するので、本実施例による輸送容器１は、接続部３での内部と外部との間の熱の移動を抑制することができる。
【００４０】
本実施例による輸送容器１は、このような構成を備えるので、輸送対象品７と収納空間１４の温度を所定の温度範囲内に所定時間にわたって維持することができる。
【００４１】
本実施例による輸送容器１では、図１Ｂ〜図３に示すように、熱伝導抑制体４が蓄熱材６ｂと熱伝導板５を備えることもできる。熱伝導板５は、熱伝導性を有する板状部材であり、接続部３に沿った長手方向に延伸する。熱伝導板５は、熱伝導の良い金属で構成するのが好ましく、例えば銅で作製するのが好ましい。熱伝導板５は、接続部３を構成する断熱部材２に接触し、少なくとも接続部３を覆うように断熱部材２に設けられる。熱伝導板５は、接続部３のみを覆うように、断熱部材２に設けてもよい。蓄熱材６ｂは、熱伝導板５に接触するように熱伝導板５に設けられる。
【００４２】
熱伝導板５は、熱伝導板５に伝わった熱や蓄熱材６ｂが有する熱量を均一に広げる効果を有する。熱伝導板５に設けられた蓄熱材６ｂは、蓄熱材６ｂが有する熱量を熱伝導板５に伝導したり、熱伝導板５に伝わった熱が伝導されたりして、熱伝導経路である接続部３での熱の移動を抑制する。
【００４３】
輸送容器１は、収納空間１４において、断熱部材２に接触するように熱伝導板５が配置され、熱伝導板５の内側に（熱伝導板５よりも収納空間１４の中心に近い位置に）、熱伝導板５に接触して蓄熱材６ｂが配置される。熱伝導板５が蓄熱材６ｂの外側（蓄熱材６ｂよりも収納空間１４の中心から遠い位置）に配置されて接続部３を覆うので、熱伝導板５は、接続部３を通る輸送容器１の外部から内部への熱の移動を遮る。熱伝導板５に伝わった熱は、蓄熱材６ｂに伝えられ、収納空間１４と輸送対象品７への伝導が抑制される。本実施例による輸送容器１では、収納空間１４において、蓄熱材６ｂの外側に熱伝導板５が配置されているので、輸送容器１の外部から内部への熱の移動を効果的に遮断できる。輸送容器１の内部から外部への熱の移動は、主に蓄熱材６ｂにより遮断できる。
【００４４】
熱伝導板５を備えることで、本実施例による輸送容器１では、輸送対象品７と収納空間１４の温度を所定の温度範囲内に所定時間にわたって維持する効果がさらに向上する。
【００４５】
熱伝導板５は、少なくとも接続部３を覆うように断熱部材２に設けられるので、２つの平面がほぼ９０度の角度で互いに接続したＬ字状の部材であるのが好ましい。すなわち、熱伝導板５は、接続部３に沿った長手方向に垂直な断面での形状がＬ字形の部材であるのが好ましい。熱伝導板５の長手方向の長さは、接続部３の長さと等しいことが望ましい。また、熱伝導板５を構成する２つの平面の幅（Ｌ字の２辺の長さ）は、断熱部材２の端面を経路として断熱部材２の一方の表面からこの表面と反対側の他方の表面に伝導した熱により発生した、断熱部材２の表面温度の変化が顕著な領域を覆う長さであることが望ましい。
【００４６】
なお、図１Ｂ〜図３には熱伝導抑制体４が蓄熱材６ｂと熱伝導板５を備える輸送容器１を示したが、熱伝導抑制体４は、図１Ａに示すように、熱伝導板５を備えず、蓄熱材６ｂのみを備えてもよい。熱伝導抑制体４が蓄熱材６ｂのみを備える構成では、蓄熱材６ｂは、接続部３を構成する断熱部材２に接触し、少なくとも接続部３を覆うように断熱部材２に設けられる。蓄熱材６ｂは、接続部３のみを覆うように、断熱部材２に設けてもよい。
【００４７】
図１Ａと図１Ｂに示した輸送容器１では、熱伝導抑制体（鉛直方向）４ａが備える蓄熱材６ｂは、接続部３に沿った長手方向に垂直な断面での形状が三角形である。図２と図３に示した輸送容器１では、底面断熱部材２ｅに平行に設けられた熱伝導抑制体（水平方向）４ｂが備える蓄熱材６ｂは、接続部３に沿った長手方向に垂直な断面での形状が三角形である。蓄熱材６ｂがこのような形状であると、収納空間１４の容積を大きくすることができる。
【００４８】
さらに、本実施例による輸送容器１は、蓄熱材６ｂ以外に、蓄熱材６ａを備えることもできる（図１Ａ〜図４）。蓄熱材６ａは、断熱部材２（前面断熱部材２ａ、側面断熱部材２ｂ、背面断熱部材２ｃ、上面断熱部材２ｄ、及び底面断熱部材２ｅ）の表面で、接続部３を覆う位置以外の、収納空間１４に面する位置に配置することができる。蓄熱材６ａは、温度を一定に保つ保温機能を有し、輸送対象品７に求められる蓄熱温度（保温温度）を有するものであれば、任意のものを用いることができる。蓄熱材６ａは、輸送容器１の内部であれば、輸送容器１と輸送対象品７に応じた任意の位置に配置することができる。蓄熱材６ａの最適な位置は、輸送対象品７の温度を所定時間にわたって所定の温度範囲内に保つことができるように定める。
【００４９】
蓄熱材６ｂを備えた熱伝導抑制体４が接続部３での熱の移動を抑制するため、輸送容器１の内部に配置した蓄熱材６ａは、保有する熱量（蓄熱量）を、輸送容器１の内部の温度（すなわち、輸送対象品７と収納空間１４の温度）を一定に保つのに有効に利用することができる。従って、蓄熱材６ａを備えた輸送容器１は、輸送対象品７と収納空間１４の温度を、より効果的に、所定時間にわたって所定の温度範囲内に保つことができる。
【００５０】
蓄熱材６ａと蓄熱材６ｂは、顕熱蓄熱材と潜熱蓄熱材のどちらでもよい。蓄熱材６ａ、６ｂの形状は、輸送容器１の内部に配置可能であれば、ブロック状やシート状等、任意でよい。
【００５１】
なお、図１Ａ〜図４には蓄熱材６ａを備える輸送容器１を示したが、輸送容器１は、蓄熱材６ａを備えなくてもよい。
【００５２】
また、図３に示すように、上面断熱部材２ｄは、図２に示した蓄熱材６ａを兼ねる蓄熱材６ｂを備えることもできる。図３に示した、上面断熱部材２ｄに設けられた蓄熱材６ｂは、複数の接続部３を覆うとともに、上面断熱部材２ｄの収納空間１４に面する表面に、これらの接続部３を接続するように延伸して配置されている。また、図３に示すように、上面断熱部材２ｄには、このような蓄熱材６ｂに接触する熱伝導板５を設けることができる。上面断熱部材２ｄに設けられたこのような蓄熱材６ｂの蓄熱量は、輸送対象品７と収納空間１４の温度を一定に保つのと、接続部３での内部と外部との間の熱の移動の抑制の両方に利用される。
【００５３】
図５Ａ〜図５Ｃは、図６に示した矢印Ｃの方向から見た、ふた部１１の平面図であり、上面断熱部材２ｄに設けられた熱伝導抑制体４（蓄熱材６ｂと熱伝導板５）の例を示す。図５Ａ〜図５Ｃに示した上面断熱部材２ｄは、熱伝導抑制体４として、蓄熱材６ｂと環状の熱伝導板５を備える。図５Ｃに示した上面断熱部材２ｄは、さらに蓄熱材６ａを備える。なお、上面断熱部材２ｄに設けられた熱伝導抑制体４は、熱伝導板５を備えず、蓄熱材６ｂのみを備えてもよい。
【００５４】
図５Ａに示した上面断熱部材２ｄは、３つの蓄熱材６ｂを備える。蓄熱材６ｂの１つは、上面断熱部材２ｄと前面断熱部材２ａとの接続部３を覆い、上面断熱部材２ｄと側面断熱部材２ｂの一方との接続部３を覆い、上面断熱部材２ｄと背面断熱部材２ｃとの接続部３を覆うように設置される。蓄熱材６ｂのもう１つは、上面断熱部材２ｄと前面断熱部材２ａとの接続部３を覆い、上面断熱部材２ｄと側面断熱部材２ｂの他方との接続部３を覆い、上面断熱部材２ｄと背面断熱部材２ｃとの接続部３を覆うように設置される。蓄熱材６ｂの残りの１つは、上面断熱部材２ｄと前面断熱部材２ａとの接続部３を覆い、上面断熱部材２ｄと背面断熱部材２ｃとの接続部３を覆うように、他の２つの蓄熱材６ｂの間に設置される。
【００５５】
図５Ａに示した蓄熱材６ｂの蓄熱量は、輸送対象品７と収納空間１４の温度を一定に保つのと、接続部３での内部と外部との間の熱の移動の抑制の両方に利用される。
【００５６】
図５Ｂに示した上面断熱部材２ｄは、４つの蓄熱材６ｂを備える。４つの蓄熱材６ｂは、１つが上面断熱部材２ｄと前面断熱部材２ａとの接続部３を覆い、他の２つが上面断熱部材２ｄと側面断熱部材２ｂとの接続部３を覆い、残りの１つが上面断熱部材２ｄと背面断熱部材２ｃとの接続部３を覆うように設置される。
【００５７】
図５Ｂに示した蓄熱材６ｂの蓄熱量は、主に、接続部３での内部と外部との間の熱の移動の抑制に利用される。
【００５８】
図５Ｃに示した上面断熱部材２ｄは、４つの蓄熱材６ｂと１つの蓄熱材６ａを備える。４つの蓄熱材６ｂは、１つが上面断熱部材２ｄと前面断熱部材２ａとの接続部３を覆い、他の２つが上面断熱部材２ｄと側面断熱部材２ｂとの接続部３を覆い、残りの１つが上面断熱部材２ｄと背面断熱部材２ｃとの接続部３を覆うように設置される。蓄熱材６ａは、４つの蓄熱材６ｂに囲まれた領域（ふた部１１の中央部）に設置される。
【００５９】
図５Ｃに示した蓄熱材６ｂの蓄熱量は、主に、接続部３での内部と外部との間の熱の移動の抑制に利用される。図５Ｃに示した蓄熱材６ａの蓄熱量は、輸送対象品７と収納空間１４の温度を一定に保つのに利用される。
【００６０】
本実施例による輸送容器１では、上面断熱部材２ｄにおける蓄熱材６ｂと蓄熱材６ａは、図５Ａ〜図５Ｃに示した例のように様々な位置に配置することができる。上面断熱部材２ｄにおける蓄熱材６ｂと蓄熱材６ａの最適な位置は、輸送対象品７の温度を所定時間にわたって所定の温度範囲内に保つことができるように定める。
【００６１】
上述したように、蓄熱材６ｂは、主に、接続部３での熱の移動を抑制するために用いられ、蓄熱材６ａは、輸送容器１の内部の温度を一定に保つのに用いられる。このため、蓄熱材６ｂと蓄熱材６ａには、蓄熱温度（保温温度）が互いに異なる蓄熱材を用いることができる。蓄熱材６ｂと蓄熱材６ａの蓄熱温度や量（体積）と、蓄熱材６ａの位置は、例えば、輸送対象品７に求められる保温温度、輸送容器１の大きさ（収納空間１４の体積）、及び輸送容器１の外部の温度等に応じて定めることができる。
【００６２】
本実施例による輸送容器１は、輸送対象品７の温度を所定時間にわたって所定の温度範囲内に保つことができるように、蓄熱材６ｂと蓄熱材６ａの量や位置を最適化することができる。このため、蓄熱材６ａ、６ｂの量が不適当であることによって輸送対象品７と収納空間１４が維持すべき温度から逸脱するのを防ぐことができ、輸送容器１の重量を低減し、輸送容器１の内容積を大きくすることが可能である。なお、蓄熱材６ａ、６ｂの最適な蓄熱温度、量、及び位置等は、例えば、数値シミュレーションで求めることができる。
【００６３】
輸送容器１は、不使用時には狭い場所でも保管できるのが好ましい。このため、輸送容器１は、折り畳み可能や分解可能な構成を備えることがある。本実施例による輸送容器１において、熱伝導板５を金属で構成すれば、熱伝導板５は、折り畳み可能や分解可能な輸送容器１の使用時に、輸送容器１を内側から支える補強部材としての効果を有する。
【００６４】
また、本実施例による輸送容器１は、接続部３に熱伝導抑制体４を備えるので、輸送容器１から熱伝導抑制体４を取り外しやすく、取り外した熱伝導抑制体４を輸送容器１に設置しやすい。このため、本実施例による輸送容器１は、不使用時に接続部３で折り畳んだり分解したりすることが容易にでき、不使用時に輸送容器１を容易に移動させることができるとともに、場所を取らずに保管することができる。また、使用時には、輸送容器１を容易に組み立てることができる。
【００６５】
例えば、輸送容器が内部の複数の面にわたって金属板を備えると（金属板が折り曲げられることで複数の面にわたって設置されていると）、輸送容器を折り畳んだり分解したりすることが容易にできず、不使用時に輸送容器を移動させるのが不便であり、輸送容器の保管に広い場所が必要である。本実施例による輸送容器１は、このような不都合を解消できるという効果も奏する。
【００６６】
熱伝導抑制体４の断熱部材２への固定方法の例を説明する。
【００６７】
熱伝導抑制体４が熱伝導板５を備えず蓄熱材６ｂのみを備える場合は、蓄熱材６ｂを断熱部材２に固定する。
【００６８】
図１１Ａと図１１Ｂは、蓄熱材６ｂの断熱部材２への固定方法の例を説明する図であり、図６に示した断面Ｂでの、輸送容器１の部分断面図である。図１１Ａと図１１Ｂは、図１Ａにおいて、１つの接続部３を覆うように断熱部材２に設けられた蓄熱材６ｂを示している。
【００６９】
図１１Ａに示す固定方法では、蓄熱材６ｂと断熱部材２に面ファスナー２０を設け、蓄熱材６ｂを断熱部材２に押し付けて、蓄熱材６ｂの面ファスナー２０と断熱部材２の面ファスナー２０を互いに貼り付けることにより、蓄熱材６ｂを断熱部材２に固定する。
【００７０】
図１１Ｂに示す固定方法では、蓄熱材６ｂと断熱部材２に面ファスナー２０を設け、帯状の面ファスナー２１を蓄熱材６ｂと断熱部材２に押し付けて、帯状の面ファスナー２１を蓄熱材６ｂと断熱部材２の面ファスナー２０に貼り付けることにより、蓄熱材６ｂを断熱部材２に固定する。
【００７１】
蓄熱材６ｂが断熱部材２に面ファスナー２０、２１で固定される部分は、接続部３の長さ方向（図１１Ａ、１１Ｂの紙面に垂直な方向）の全体でも一部でもよい。
【００７２】
熱伝導抑制体４が蓄熱材６ｂと熱伝導板５を備える場合は、熱伝導板５を断熱部材２に固定し、蓄熱材６ｂを熱伝導板５に固定する。
【００７３】
図１１Ｃは、熱伝導板５の断熱部材２への固定方法の例を説明する図であり、図６に示した断面Ｂでの、輸送容器１の部分断面図である。図１１Ｃは、図１Ｂにおいて、１つの接続部３を覆うように断熱部材２に設けられた熱伝導板５と蓄熱材６ｂを示している。
【００７４】
鉤のように曲がった形状の鉤部を備える取付部材２３を断熱部材２の表面に設け、取付部材２３の鉤部に熱伝導板５を嵌め込むことにより、熱伝導板５を断熱部材２に固定する。
【００７５】
図１１Ｄと図１１Ｅは、蓄熱材６ｂの熱伝導板５への固定方法の例を説明する図であり、図６に示した断面Ｂでの、輸送容器１の部分断面図である。図１１Ｄと図１１Ｅは、図１Ｂにおいて、熱伝導板５に設けられた蓄熱材６ｂを示している。但し、図１１Ｅには、蓄熱材６ｂの、接続部３に沿った長手方向に垂直な断面での形状が、四角形である場合を示している。
【００７６】
図１１Ｄと図１１Ｅに示す固定方法では、伸縮性のある帯状の固定部材２２を熱伝導板５に設け、蓄熱材６ｂを熱伝導板５と固定部材２２の間に挟み込むことにより、蓄熱材６ｂを熱伝導板５に固定する。蓄熱材６ｂは、固定部材２２によって熱伝導板５に押し付けられ、熱伝導板５に固定される。
【００７７】
また、蓄熱材６ｂと熱伝導板５に面ファスナー２０を設け、図１１Ｂに示したように、帯状の面ファスナー２１を蓄熱材６ｂと熱伝導板５の面ファスナー２０に貼り付けることにより、蓄熱材６ｂを熱伝導板５に固定することもできる。
【００７８】
蓄熱材６ａの断熱部材２への固定方法の例を説明する。
【００７９】
断熱部材２に、蓄熱材６ａを固定するための取付部を設け、この取付部に蓄熱材６ａを固定する。取付部は、例えば、蓄熱材６ａに設けられた凸部又は凹部に係合できる凹部又は凸部や、蓄熱材６ａに設けられた袋状部（ポケット）とすることができる。また、蓄熱材６ａを粘着テープや面ファスナーで断熱部材２に固定することもできる。また、底面断熱部材２ｅに蓄熱材６ａを配置する場合は、底面断熱部材２ｅに蓄熱材６ａを敷き詰めることで、蓄熱材６ａを底面断熱部材２ｅに固定することもできる。
【００８０】
本実施例による輸送容器１は、熱伝導抑制体４と蓄熱材６ａが輸送容器１に対して着脱可能であり、輸送容器１に対する熱伝導抑制体４と蓄熱材６ａの取り付けと取り外しが容易にできる。従って、保温機能（蓄熱機能）が低下した蓄熱材６ａと蓄熱材６ｂは、十分な保温機能を有するものに、短い交換作業時間で容易に交換することができる。
【００８１】
図７と図８は、本発明の実施例による輸送容器１を示す斜視図であり、ふた部１１が開いた輸送容器１を示す図である。図７は、ふた部１１が収納部１２から分離可能であり、ふた部１１が収納部１２から外れることで開く輸送容器１を示す。図８は、ふた部１１の一辺が収納部１２の上部の一辺と接続しており、ふた部１１が収納部１２の一部と接触したまま開閉可能な輸送容器１を示す。図８に示した輸送容器１は、例えば、折り曲げ可能なカバー１３（断熱カバーや断熱シート等）でふた部１１と収納部１２とが接続しており、ふた部１１が開閉可能である。
【００８２】
ふた部１１は、輸送対象品７の収納と取り出しの作業時と、熱伝導抑制体４と蓄熱材６ａの設置と取り出しの作業時に開かれる。これらの作業時には、ふた部１１が開かれるため、輸送容器１の内部と外部との間で熱の移動が発生しやすい。ふた部１１の形態（例えば、図７のように収納部１２から分離可能なふた部１１や、図８のように収納部１２の一部と接触したまま開閉可能なふた部１１）に応じて、蓄熱材６ａ、６ｂの配置や量を定めることができる。
【００８３】
本実施例による輸送容器１では、蓄熱材６ａ、６ｂは、配置する場所に応じて量を変えることができる。輸送容器１において、内部と外部との間で熱の移動量が多いと見積もられる箇所での蓄熱量が多いと、収納した輸送対象品７の温度を保つのに有効である。例えば、蓄熱材６ａ、６ｂの体積を増やすことや蓄熱材６ａ、６ｂの数を増やすことにより、蓄熱量を多くすることができる。または、蓄熱温度帯が異なる蓄熱材６ａ、６ｂを熱の移動量に応じて配置してもよい。このように蓄熱材６ａ、６ｂを配置することで、輸送容器１は、輸送対象品７の温度を、より効果的に、所定時間にわたって所定の温度範囲内に保つことができる。
【００８４】
図９は、本発明の実施例による輸送容器１を示す斜視図であり、内部に２つの収納空間１４ａ、１４ｂを備える輸送容器１を示す図である。収納部１２は、前面断熱部材２ａと背面断熱部材２ｃとに接続された仕切り板１０を内部に備える。仕切り板１０は、収納部１２の内部を２つの収納空間１４ａ、１４ｂに分ける部材であり、断熱材または蓄熱材で構成することができる。収納空間１４ａと収納空間１４ｂは、互いに異なる輸送対象品７や互いに同じ輸送対象品７を収納することができる。すなわち、収納空間１４ａと収納空間１４ｂとでは、収納した輸送対象品７に求められる保温温度が異なってもよい。
【００８５】
収納空間１４ａと収納空間１４ｂとで保温温度が異なる場合には、仕切り板１０と前面断熱部材２ａの接続部３ａと、仕切り板１０と背面断熱部材２ｃの接続部３ｂと、仕切り板１０と底面断熱部材２ｅの接続部３ｃ（図９には示さず）で、熱の移動が発生することが予測される。
【００８６】
そこで、これらの接続部３ａ、３ｂ、３ｃにも熱伝導抑制体４を設置することで、輸送対象品７と収納空間１４ａ、１４ｂの温度を所定の温度範囲内に所定時間にわたって保つことが可能である。なお、図９では、接続部３ａ、３ｂ、３ｃに設けた熱伝導抑制体４を示すのを省略している。
【００８７】
図１０は、図６に示した断面Ｂでの、図９に示した輸送容器１の断面図（水平方向の断面図）である。接続部３ａ、３ｂ、３ｃには、蓄熱材６ｂと熱伝導板５を備える熱伝導抑制体４が設置されている。接続部３ａ、３ｂに設置された熱伝導抑制体４は、底面断熱部材２ｅに立設した熱伝導抑制体（鉛直方向）４ａである。接続部３ｃに設置された熱伝導抑制体４は、底面断熱部材２ｅに平行に設けられた熱伝導抑制体（水平方向）４ｂである。収納空間１４ａには、輸送対象品７ａが収納されており、収納空間１４ｂには、輸送対象品７ｂが収納されている。なお、図１０では、輸送容器１に設置された全ての熱伝導抑制体４を示していない。
【００８８】
仕切り板１０は、前面断熱部材２ａと背面断熱部材２ｃとに接続されなくてもよい。例えば、仕切り板１０は、２つの側面断熱部材２ｂに接続されてもよく、前面断熱部材２ａと側面断熱部材２ｂとに接続されてもよい。また、収納部１２の内部には、１つの仕切り板１０だけでなく、複数の仕切り板１０を設けてもよい。複数の仕切り板１０を設けると、収納部１２の内部を３つ以上の収納空間１４に分けることができる。
【００８９】
収納部１２の内部に仕切り板１０を設けることで、収納部１２の内部を複数の収納空間１４に分けることができる。このため、保温温度が互いに異なる複数種類の輸送対象物を、異なる収納空間１４に収納して、１つの輸送容器１で輸送することができる。
【００９０】
図９には、ふた部１１の上面断熱部材２ｄに１つの熱伝導抑制体４が設置された例を示している。ふた部１１に設置された熱伝導抑制体４は、仕切り板１０により構成された収納空間１４の数に応じて分割され、それぞれの収納空間１４に対応するようにふた部１１に配置されてもよい。
【００９１】
なお、熱伝導抑制体４は、蓄熱材６ｂと熱伝導板５で構成してもよく、蓄熱材６ｂのみで構成してもよい。
【００９２】
本発明の実施例による輸送容器１は、図２と図３と図６〜１０に示したように、情報記録装置８を輸送容器１の少なくとも内部に備えることができる。情報記録装置８には、データロガー等の既存の装置を用いることができる。輸送容器１の内部に備えられている情報記録装置８は、輸送容器１の内部の情報を記録する。輸送容器１の外部に備えられている情報記録装置８は、輸送容器１の外部の情報を記録する。輸送容器１の内部に備えられている情報記録装置８は、輸送容器１と輸送対象品７の少なくとも一方に設けることができる。
【００９３】
図２と図３では、情報記録装置８は、輸送対象品７に備えられている。図６では、情報記録装置８は、輸送容器１の外部（ふた部１１の外部）と輸送容器１の内部に備えられている。但し、輸送容器１の内部に備えられている情報記録装置８は、図６に示していない。図７〜図１０では、情報記録装置８は、輸送容器１の内部で輸送容器１に備えられている。図９と図１０では、情報記録装置８は、収納空間１４ａ、１４ｂのそれぞれに１つずつ備えられている。輸送容器１の内部で輸送容器１に備えられている情報記録装置８は、断熱部材２や蓄熱材６ａ、６ｂに設置される。
【００９４】
情報記録装置８は、情報記録部を備え、情報記録部が、輸送容器１の内部又は外部の情報として、少なくとも温度を測定して記録する。情報記録装置８の情報記録部は、温度以外に、例えば、湿度、輸送対象品７に応じた特定のガスの濃度と圧力、輸送容器１や輸送対象品７に加わった振動、及び輸送対象品７の位置（緯度と経度）のうち１つまたは複数の情報を測定して記録してもよい。情報記録装置８は、測定して記録した情報を表示する表示部を備えることができる。輸送対象品７の輸送者は、情報記録装置８が表示した情報を監視することができる。
【００９５】
また、情報記録装置８は、情報記録部が測定して記録した情報を無線または有線で受信装置に送信するための通信部を備えることもできる。通信部は、例えば、電波通信や光通信等の無線通信や、ＵＳＢ通信等の有線通信を行うことができる。受信装置とは、例えば、輸送対象品７の輸送者が保持する携帯端末と、輸送容器１による輸送対象品７の輸送を管理する輸送管理センターに設置されたサーバー（コンピュータ）との、少なくとも一方である。受信装置である携帯端末やサーバーは、情報記録装置８から送信された情報を受信して表示することができる。輸送者や輸送管理センターの輸送管理者は、携帯端末やサーバーが表示した情報を監視することができる。
【００９６】
本実施例による輸送容器１を用いると、後述するように、輸送システムを構成することができる。本発明の実施例による輸送システムは、情報記録装置８を備えた輸送容器１と受信装置とを備え、情報記録装置８が、測定して記録した情報を受信装置に送信し、受信装置が、情報記録装置８から送信された情報を表示する。受信装置は、情報記録装置８から送信された情報を保存することもできる。
【００９７】
図６に示した情報記録装置８では、輸送容器１の内部に備えられている情報記録装置８は、輸送容器１の内部の情報を測定して記録し、輸送容器１の外部に備えられている情報記録装置８に無線または有線で送信する。そして、輸送容器１の外部に備えられている情報記録装置８は、輸送容器１の内部に備えられている情報記録装置８から受信した情報を受信装置に送信する。さらに、輸送容器１の外部に備えられている情報記録装置８は、輸送容器１の外部の情報を測定して記録し、受信装置に送信する。
【００９８】
図２と図３と図７〜１０に示した輸送容器１の内部に備えられた情報記録装置８は、測定して記録した情報を、輸送容器１の外部に備えられている情報記録装置８を介して受信装置に送信してもよく、輸送容器１の外部に備えられている情報記録装置８を介さずに受信装置に直接送信してもよい。
【００９９】
輸送対象品７は、輸送容器１に収納されて輸送されている間、少なくとも温度が所定の範囲内に保たれていることが必要である。輸送対象品７によっては、温度だけでなく、周囲の湿度、周囲のガスの濃度と圧力、及び輸送対象品７に加わる振動が所定の範囲内に保たれていることが望まれる。従って、輸送対象品７の温度、輸送容器１の内部の温度、輸送対象品７の周囲の湿度、輸送対象品７の周囲のガスの濃度と圧力、及び輸送対象品７に加わる振動等の、輸送対象品７の状態管理が重要である。
【０１００】
図６に示すように輸送容器１の外部に情報記録装置８を設置することで、輸送対象品７の輸送中に輸送容器１を開けることなく、輸送容器１の内部の情報を得ることができる。図７〜図１０に示すように背面断熱部材２ｃに情報記録装置８を設置することで、収納空間１４、１４ａ、１４ｂの情報を得ることができる。図２と図３に示すように輸送対象品７に情報記録装置８を設置することで、輸送対象品７や輸送対象品７の周囲の情報を正確に得ることができる。
【０１０１】
図９と図１０に示すように収納部１２が複数の収納空間１４ａ、１４ｂを備える場合には、複数の収納空間１４ａ、１４ｂのそれぞれに情報記録装置８を設置することで、各収納空間１４ａ、１４ｂに収納した輸送対象品７の状態を適切に管理することができる。
【０１０２】
図７〜図１０では、１つの収納空間１４、１４ａ、１４ｂに対し、１つの情報記録装置８を配置している。１つの収納空間１４、１４ａ、１４ｂに対して、複数の情報記録装置８を配置してもよい。受信装置である携帯端末やサーバーは、複数の情報記録装置８が得た情報のデータを演算することにより、詳細な情報を得ることができる。
【０１０３】
以下では、本発明の実施例による輸送システムの構成を説明する。
【０１０４】
図１２は、本発明の実施例による輸送システムの構成を示すブロック図である。本発明の実施例による輸送システムは、情報記録装置８を備えた輸送容器１と、受信装置を備える。受信装置は、上述したように、輸送対象品７の輸送者が保持する携帯端末３２と、輸送管理センター３０に設置されたサーバー３１（コンピュータ）との、少なくとも一方である。輸送容器１は、少なくとも内部に情報記録装置８を備える。情報記録装置８は、サーバー３１と携帯端末３２に接続することができる。携帯端末３２は、サーバー３１に接続することができる。
【０１０５】
情報記録装置８は、情報記録装置８が得た情報を、受信装置である携帯端末３２やサーバー３１に送信する。受信装置は、情報記録装置８から送信された情報を表示したり、保存したりする。この情報は、輸送対象品７が適正な状態で（例えば、所定の温度範囲内で）輸送されているか否かを輸送者や輸送管理者が確認するのに用いられる。輸送対象品７が適正な状態で輸送されていない場合には、受信装置は、輸送者や輸送管理者に対する警告を発する。
【０１０６】
受信装置（携帯端末３２やサーバー３１）は、輸送容器１の内部の温度データ（輸送対象品７の温度データや蓄熱材６ａ、６ｂの温度データ）と、輸送容器１の外部の温度データ（輸送容器１の周囲の温度や外気温）から、これらの温度の測定時点において、輸送容器１の内部の蓄熱材６ａ、６ｂの蓄熱量を推算してもよい。受信装置は、このような蓄熱量を推算すると、輸送対象品７を所定の温度範囲内に保つのが可能な残り時間や、収納空間１４や輸送対象品７の温度維持が可能か否かや、輸送対象品７を所定の温度範囲内に保って輸送できるか否かを推算することができる。
【０１０７】
受信装置は、蓄熱材６ａ、６ｂの温度維持に利用できる蓄熱量が減少したと判断した場合には、輸送者や輸送管理者に対して蓄熱材６ａ、６ｂを交換する指示を表示することができる。本発明の実施例による輸送システムでは、受信装置がこのような指示を表示することによっても、輸送対象品７を所定の温度に保って輸送するのを可能にする。
【０１０８】
サーバー３１は、携帯端末３２が保存している情報記録装置８が得た情報や、携帯端末３２が推算して得た情報を、携帯端末３２から受信することもできる。携帯端末３２は、サーバー３１が保存している情報記録装置８が得た情報や、サーバー３１が推算して得た情報を、サーバー３１から受信することもできる。
【０１０９】
以上の実施例では、輸送容器１の形状が直方体又は立方体である例を説明した。輸送容器１の形状は、円筒形であってもよい。輸送容器１が円筒形（上面と底面と側面を有する形状）の場合は、輸送容器１の上面と側面との接続部と、底面と側面との接続部での熱の移動量を削減するために、これらの接続部に熱伝導抑制体４を備える。
【０１１０】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【０１１１】
１…輸送容器、２…断熱部材、２ａ…前面断熱部材、２ｂ…側面断熱部材、２ｃ…背面断熱部材、２ｄ…上面断熱部材、２ｅ…底面断熱部材、３、３ａ、３ｂ、３ｃ…接続部、４…熱伝導抑制体、４ａ…熱伝導抑制体（鉛直方向）、４ｂ…熱伝導抑制体（水平方向）、５…熱伝導板、６ａ、６ｂ…蓄熱材、７、７ａ、７ｂ…輸送対象品、８…情報記録装置、１０…仕切り板、１１…ふた部、１２…収納部、１３…カバー、１４、１４ａ、１４ｂ…収納空間、２０、２１…面ファスナー、２２…固定部材、２３…取付部材、３０…輸送管理センター、３１…サーバー、３２…携帯端末。
【図１Ａ】
2019182449.tif 000003
【図１Ｂ】
2019182449.tif 000004
【図２】
2019182449.tif 000005
【図３】
2019182449.tif 000006
【図４】
2019182449.tif 000007
【図５Ａ】
2019182449.tif 000008
【図５Ｂ】
2019182449.tif 000009
【図５Ｃ】
2019182449.tif 000010
【図６】
2019182449.tif 000011
【図７】
2019182449.tif 000012
【図８】
2019182449.tif 000013
【図９】
2019182449.tif 000014
【図１０】
2019182449.tif 000015
【図１１Ａ】
2019182449.tif 000016
【図１１Ｂ】
2019182449.tif 000017
【図１１Ｃ】
2019182449.tif 000018
【図１１Ｄ】
2019182449.tif 000019
【図１１Ｅ】
2019182449.tif 000020
【図１２】
2019182449.tif 000021